(57)【要約】【課題】常に安定した状態で、且つ確実に床パネルを梁部材に結合させることができるようにする。【解決手段】梁部材としてのＨ型鋼１００と、該Ｈ型鋼１００に支持された床パネル１１０との間に介設されて床パネル１１０の位置ずれを防止するための床パネル取付具１０であり、Ｈ型鋼１００に対向して床パネル１１０の裏面側から突出するように当該床パネル１１０に固定される取付具本体２０と、Ｈ型鋼１００に対して進退可能に前記取付具本体２０に装着されるスライダー３０と、該スライダー３０の進退を規制するロック構造４０とが備えられ、取付具本体２０は、前記スライダー３０を先上がりに傾斜した状態で進退させ得るように当該スライダー３０を支持している。【選択図】  図１
2004183212.tif 000002
【特許請求の範囲】
【請求項１】
梁部材と、該梁部材に支持される床パネルとの間に介設されて床パネルの位置ずれを防止する床パネル取付具であって、梁部材に対向するように突出した状態で床パネルに固定される取付具本体と、梁部材に対して進退可能に前記取付具本体に装着されるスライダーと、該スライダーの進退を規制するロック構造とが備えられ、前記取付具本体は、前記スライダーを先上がりに傾斜した状態で進退させ得るように当該スライダーを支持してなることを特徴とする床パネル取付具。
【請求項２】
前記スライダーは、先端側に形成された床パネルの裏面に平行な平行部と、該平行部から後方に向かって延設され、且つ取付具本体に支持された傾斜部とを備えてなる請求項１記載の床パネル取付具。
【請求項３】
前記平行部には、その上面を覆うように弾性部材が取り付けられてなる請求項２記載の床パネル取付具。
【請求項４】
前記取付具本体は、傾斜状態でスライダーの傾斜部を装着する傾斜底板を有し、前記傾斜部には前後方向に延びる長孔が穿設され、該長孔の少なくとも一方の側縁には長手方向に向けて所定ピッチで凹設された複数の係止溝が設けられ、前記ロック構造は、前記傾斜部の面に対向配置される係止板と、抜け止め状態で該係止板、前記底板および前記長孔に挿通される縦軸と、前記縦軸の端部に設けられた横軸回りに回動可能に軸支される操作部材とを備えて構成され、前記操作部材は、横軸回りの一方向への回動操作で前記縦軸を引き込むことにより前記係止板の一部が前記係止溝に嵌り込んでスライダーの進退を規制する規制姿勢と、横軸回りの他方向への回動操作で係止板の前記傾斜部からの離間により前記規制を解除し得る規制解除姿勢との間で姿勢変更可能に構成されてなる請求項２または３記載の床パネル取付具。
【請求項５】
前記取付具本体は、傾斜状態でスライダーの傾斜部を支持する傾斜底板を有し、前記傾斜部には前後方向に延びる長孔が穿設され、該長孔の一方の側縁には長手方向に向けて所定ピッチで凹設された複数の係止溝が設けられ、前記ロック構造は、前記傾斜部の面に対向配置される係止板と、抜け止め状態で該係止板、前記底板および長孔に挿通される縦軸とを備えて構成され、前記係止板は、前記長孔内に位置するように突出した係止突片を有しているとともに、該係止突片が前記係止溝に嵌まり込んでスライダーの進退を規制する規制位置と、係止突片が係止溝から抜け出すことにより前記規制を解除する規制解除位置との間で位置変更可能に構成されてなる請求項２または３記載の床パネル取付具。
【発明の詳細な説明】
【０００１】
【発明の属する技術分野】
本発明は、床パネルをＨ型鋼等からなる梁部材に結合させるために使用される床パネル取付具に関するものである。
【０００２】
【従来の技術】
従来、図８に示すように、梁部材としてのＨ型鋼１００に床パネル１１０が支持された状態で床パネル１１０をＨ型鋼１００に結合するために用いられる床パネルの取付具１２０が知られている。
【０００３】
かかる取付具１２０が適用されるＨ型鋼１００および床パネル１１０についてまず説明する。例えば鉄骨製の建造物の各階には、図略の支柱間等にＨ型鋼１００の所定本数が架設され、互いに対向したＨ型鋼１００間に床パネル１１０が架設されるようになっている。
【０００４】
床パネル１１０は、通常、互いに対向配置される一対の第１枠材１１１と、これら第１枠材１１１の各端部間に架設される一対の第２枠材１１２（図８には一方側の第１および第２枠材１１１，１１２のみを示している）と、これら第１および第２枠体１１１，１１２によって形成された枡形枠体の上部に敷設された平板状のフロア材１１３とを備えて構成されている。一対の第１枠材１１１間およ第２枠材１１２間にはそれぞれ複数本の補強材１１４が架設され、これによって床パネル１１０が構造的に丈夫になっている。
【０００５】
一方、Ｈ型鋼１００は、平板状を呈した長尺のＨ型鋼本体１０１と、このＨ型鋼本体１０１の上下の縁面に全長に亘って同一幅寸法でТ字状または逆Т字状を形成させるように一体に付設された上下一対の耳部（上耳部１０２および下耳部１０３）とからなっている。図８に示す例では、床パネル１１０の第２枠材１１２がＨ型鋼１００の上耳部１０２の幅方向中央部より外方側の位置に載置された状態で床パネル１１０がＨ型鋼１００に支持されている。
【０００６】
そして、前記取付具１２０は、このようにＨ型鋼１００に支持された床パネル１１０が位置ずれしないように、第１枠材１１１の端部とＨ型鋼１００の上耳部１０２との間に介設されるのである。
【０００７】
図９は、従来の取付具１２０の一例を説明するための説明図であり、（イ）は、第１枠材１１１が取付具１２０を介してＨ型鋼１００に結合される直前の状態、（ロ）は、取付具１２０のスライダー１２４が取付具本体１２１に装着された状態、（ハ）は、第１枠材１１１が取付具１２０を介してＨ型鋼１００に結合された状態をそれぞれ示している。また、（ニ）は、（イ）のＸ線矢視図である。
【０００８】
図９の（イ）に示すように、従来の取付具１２０は、背面視（図９の（ニ）参照）でＵ字形状を呈した取付具本体１２１と、この取付具本体１２１に着脱自在に装着されるスライダー１２４とを備えて構成されている。取付具本体１２１は、内寸法が第１枠材１１１と略同一に寸法設定された幅方向一対の枠体挟持板１２２と、該枠体挟持板１２２の下縁部から下方に向けて延設された第１枠材１１１より若干狭幅のＵ字形状を呈したスライダー支持部１２３とからなっている。
【０００９】
一方、スライダー１２４は、前記スライダー支持部１２３に進退可能に嵌挿されるスライダー本体１２５と、このスライダー本体１２５の後端部（図９の右方）に一体に付設された被操作部１２６と、スライダー１２４の前端部上面に後方に向かって先上がりで付設された板バネ１２７とからなっている。
【００１０】
そして、一対の枠体挟持板１２２が第１枠材１１１の端部近傍を挟持した状態でネジ止めされることにより、取付具本体１２１が、図９の（イ）に示すように、第１枠材１１１に固定されるとともに、第１枠材１１１に固定された取付具本体１２１のスライダー支持部１２３に後方からスライダー本体１２５を差し込むことによって、図９の（ロ）に示すように、スライダー１２４が取付具本体１２１に装着されるようになっている。
【００１１】
そして、スライダー１２４が取付具本体１２１に装着された状態で、スライダー支持部１２３より先端側の第１枠材１１１の端部がＨ型鋼１００の上耳部１０２に載せられ（図９の（ロ））、引き続き、被操作部１２６が取付具本体１２１へ向かうようにハンマー等で叩打されることにより、スライダー本体１２５の先端側（図９の左方）がスライダー支持部１２３から外部に突出する。この突出によってＨ型鋼１００の上耳部１０２は、図９の（ハ）に示すように、弾性変形した板バネ１２７と第１枠材１１１の下縁面との間に押圧挟持され、これによってＨ型鋼１００と床パネル１１０とが、取付具１２０を介して互いに結合された状態になる。
【００１２】
【発明が解決しようとする課題】
ところで、上記のような従来の取付具１２０にあっては、床パネル１１０が取付具１２０を介してＨ型鋼１００に結合された状態で、両者は、弾性変形した板バネ１２７の弾性力に起因した摩擦力によって結合されている。しかしながらこの結合力はそれ程強いものではないため、例えば床パネル１１０に水平方向へ向かう力が加わると、当該床パネル１１０は容易に位置ずれしてしまうなど、位置保持性が劣るという問題点が存在した。
【００１３】
また、前記保持力は、板バネ１２７の弾性変形量に比例して変化するため、Ｈ型鋼１００の上耳部１０２の厚み寸法に応じて保持力が変わるため、上耳部１０２の厚み寸法に拘らずＨ型鋼１００に床パネル１１０を常に安定した状態で結合することができないという問題点も存在する。
【００１４】
本発明は、上記のような問題点を解消するためになされたものであり、常に安定した状態で、且つ確実に床パネルを梁部材に結合させることができる床パネル取付具を提供することを目的としている。
【００１５】
【課題を解決するための手段】
請求項１記載の発明は、梁部材と、該梁部材に支持される床パネルとの間に介設されて床パネルの位置ずれを防止する床パネル取付具であって、梁部材に対向するように突出した状態で床パネルに固定される取付具本体と、梁部材に対して進退可能に前記取付具本体に装着されるスライダーと、該スライダーの進退を規制するロック構造とが備えられ、前記取付具本体は、前記スライダーを先上がりに傾斜した状態で進退させ得るように当該スライダーを支持してなることを特徴とするものである。
【００１６】
この発明によれば、床パネルを梁部材に支持させた状態で、一旦梁部材から離間する方向へスライドさせている、取付具本体に装着されたスライダーを梁部材の方向へ向かわせることにより、当該スライダーは、先上がりに傾斜した状態で前進し、その先端部と床パネルとの間の距離が漸減していくため、スライダーの所定の前進量で梁部材はスライダーと床パネルとによって挟持された状態になる。この状態でロック構造によってスライダーの後退を規制することにより、梁部材のスライダーおよび床パネルによる挟持状態が維持され、これによって梁部材に支持された床パネルの位置ずれが有効に防止される。
【００１７】
このように、スライダーを前進させるという簡単な操作で梁部材に支持された床パネルの位置ずれを有効に防止することが可能になり、優れた操作性を得ることができるばかりか、従来の弾性変形した板バネの弾性力で床パネルを梁部材に結合するものの場合、梁部材の厚み寸法によって板バネの弾性力が変化するため、常に一定の結合力で床パネル取付具を介して床パネルを梁部材に連結し得ないという不都合が生じるが、この発明ではこのような不都合は生じない。
【００１８】
また、スライダーを斜め上方に向かって前進させるという簡単な操作で梁部材に支持された床パネルを梁部材に確実に連結することができ、優れた操作性を得ることができるばかりか、各種の厚み寸法の梁部材に容易に対応することが可能になり、床パネル取付具の汎用性を向上させることができる。
【００１９】
請求項２記載の発明は、請求項１記載の発明において、前記スライダーは、先端側に形成された床パネルの裏面に平行な平行部と、該平行部から後方に向かって延設され、且つ取付具本体に支持された傾斜部とを備えてなることを特徴とするものである。
【００２０】
この発明によれば、スライダーは、取付具本体に支持された傾斜部を前進させることによって、その平行部が床パネルの底面との間で平行状態を維持しながら前進且つ上昇し、梁部材の低部と面接触するため、スライダーと床パネルとによる梁部材の挟持状態がより確実なものになる。
【００２１】
請求項３記載の発明は、請求項２記載の発明において、前記平行部には、その上面を覆うように弾性部材が取り付けられてなることを特徴とするものである。
【００２２】
この発明によれば、梁部材がスライダーの平行部と床パネルとによって押圧挟持された状態で、平行部に設けられた弾性部材が弾性変形するため、たとえ平行部と梁部材との間に僅かな隙間が形成されてしまう非接触状態になっても、弾性部材の弾性変形によって前記非接触状態が解消され、これによって梁部材は常にスライダーと床パネルとによって押圧挟持された状態になる。
【００２３】
請求項４記載の発明は、請求項２または３記載の発明において、前記取付具本体は、傾斜状態でスライダーの傾斜部を装着する傾斜底板を有し、前記傾斜部には前後方向に延びる長孔が穿設され、該長孔の少なくとも一方の側縁には長手方向に向けて所定ピッチで凹設された複数の係止溝が設けられ、前記ロック構造は、前記傾斜部の面に対向配置される係止板と、抜け止め状態で該係止板、前記底板および前記長孔に挿通される縦軸と、前記縦軸の端部に設けられた横軸回りに回動可能に軸支される操作部材とを備えて構成され、前記操作部材は、横軸回りの一方向への回動操作で前記縦軸を引き込むことにより前記係止板の一部が前記係止溝に嵌り込んでスライダーの進退を規制する規制姿勢と、横軸回りの他方向への回動操作で係止板の前記傾斜部からの離間により前記規制を解除し得る規制解除姿勢との間で姿勢変更可能に構成されてなることを特徴とするものである。
【００２４】
この発明によれば、梁部材がスライダーと床パネルとによって挟持された状態で、操作部材を横軸回りに一方向へ回動操作して規制姿勢に姿勢設定することにより、係止板の一部が付勢手段の付勢力に抗してスライダーの長孔の係止溝に嵌まり込み、これによってスライダーの進退が規制される一方、この状態で操作部材を横軸回りに他方向へ回動操作することにより、当該操作部材は規制解除姿勢に姿勢変更して係止板の一部が係止溝から外れ、これによってスライダーの進退の規制が解除される。
【００２５】
このように、操作部材の横軸回りの正逆回動操作によってスライダーの進退規制と、規制解除とを容易に切り替えることができるため、ロック構造を優れた操作性を備えたものにすることができる。
【００２６】
請求項５記載の発明は、請求項２または３記載の発明において、前記取付具本体は、傾斜状態でスライダーの傾斜部を支持する傾斜底板を有し、前記傾斜部には前後方向に延びる長孔が穿設され、該長孔の一方の側縁には長手方向に向けて所定ピッチで凹設された複数の係止溝が設けられ、前記ロック構造は、前記傾斜部の面に対向配置される係止板と、抜け止め状態で該係止板、前記底板および長孔に挿通される縦軸とを備えて構成され、前記係止板は、前記長孔内に位置するように突出した係止突片を有しているとともに、該係止突片が前記係止溝に嵌まり込んでスライダーの進退を規制する規制位置と、係止突片が係止溝から抜け出すことにより前記規制を解除する規制解除位置との間で位置変更可能に構成されてなることを特徴とするものである。
【００２７】
この発明によれば、梁部材がスライダーと床パネルとによって挟持された状態で、係止板をスライド移動させて規制位置に位置設定することにより、係止板の係止突片がスライダーの長孔の係止溝に嵌まり込み、これによってスライダーの進退が規制される一方、この状態で係止板を前記と逆方向へスライド移動させて規制解除位置に姿勢設定することにより係止突片が係止溝から外れ、これによってスライダーの進退の規制が解除される。
【００２８】
このように、係止板の正逆スライド移動操作によってスライダーの進退規制と、規制解除とを容易に切り替えることができるため、ロック構造を優れた操作性を備えたものにすることができる。また、主に係止板のみの正逆移動による位置変更でスライダーの移動規制と規制解除とを切り換え得るようにしているため、その分部品点数を少なくすることができ、床パネル取付具の製造コストの低減化に貢献する。
【００２９】
【発明の実施の形態】
図１は、本発明に係る床パネル取付具の第１実施形態を示す一部切欠き分解斜視図であり、図２は、その組立て斜視図である。また、図３は、図２のＡ−Ａ線断面図である。なお、本実施形態の取付具本体２０が固定される床パネル１１０および床パネル取付具１０を介して床パネル１１０が結合されるＨ型鋼（梁部材）１００に関しては、図８に記載のものを採用するものとして以下説明する。
【００３０】
図１〜図３に示すように、床パネル取付具１０は、上記床パネル１１０（図２）に固定される取付具本体２０と、この取付具本体２０にスライド可能に装着されるスライダー３０と、該スライダー３０および前記取付具本体２０間に介設されるロック構造４０とを備えた基本構成を有している。
【００３１】
前記取付具本体２０は、本実施形態においては、正面視でＵ字形状を呈して構成されている。かかる取付具本体２０は、床パネル１１０を構成する構成部材の一つである第１枠材１１１を挟持する一対の側板２１と、これら一対の側板２１の下縁部間に一体に架設された底板（傾斜底板）２５とからなっている。
【００３２】
前記一対の側板２１は、内寸法が第１枠材１１１の厚み寸法と略同一に寸法設定された一対の上部側板２２と、これら一対の上部側板２２の下方位置に設けられた、内寸法が第１枠材１１１の厚み寸法より若干短い一対の下部側板２３と、各上部側板２２および下部側板２３間に介設され、且つ上部側板２２から互いに対向方向に突出した段差部２４とからなっている。
【００３３】
各上部側板２２には、適所に所定個数の貫通孔２２ａが穿設されている。そして、第１枠材１１１の下縁部を段差部２４に当止させることにより一対の上部側板２２が当該第１枠材１１１を挟持した状態で、各貫通孔２２ａを介して木ネジＢを第１枠材１１１にそれぞれねじ込むことにより、床パネル取付具１０が第１枠材１１１に固定されるようになっている。
【００３４】
前記各下部側板２３は、前縁部側（図１の紙面の左方側）の上下寸法が後縁部側の上下寸法より小さく寸法設定されている。本実施形態においては、下部側板２３の前方部分（前後方向の全長の略１／３の部分）は、同一上下寸法に設定され、これより後方部分は後方に向かって先下がりになるように形状設定されている。このような下部側板２３の後方部分によって台形状側板２３ａが形成されている。
【００３５】
前記底板２５は、一対の台形状側板２３ａの下縁部間に架設されて形成されることにより、前縁部側から後縁部側に向けて先下がりに傾斜した状態になっている。かかる底板２５の中央部には、前後方向に延びる長孔状態の挿通孔２５ａが穿設されている。この挿通孔２５ａには、後述の上下方向に長尺な扁平軸部材（縦軸）４１が挿通される。
【００３６】
また、底板２５には、底板２５より若干前方位置に、前後方向に延びる中心線を基準として左右対象位置に上方に向かって突設された一対の突起２５ｂが設けられている。本実施形態においては、これらの突起２５ｂは、底板２５の裏面側からプレス処理が施されることによるいわゆる押し膨らませで形成されている。
【００３７】
前記スライダー３０は、本実施形態においては、幅寸法が一対の下部側板２３間の内寸法より僅かに小さく寸法設定されたスライダー本体３１と、該スライダー本体３１の幅方向の両側縁部から上方に向かって突設された前後方向に延びる幅方向一対の縁堰部３５と、該縁堰部３５の前方位置に装着される弾性部材３６とを備えて構成されている。
【００３８】
前記スライダー本体３１は、前方位置に形成された水平部３２と、この水平部３２の後縁部から先下がりに傾斜して形成された傾斜部３３とからなっている。本実施形態においては、傾斜部３３は、水平部３２略３倍の長さ寸法（前後寸法）に設定されているが、かかる寸法設定に限定されるものではなく、それぞれ状況に応じて適宜の寸法に設定される。
【００３９】
水平部３２と傾斜部３３との間に形成される内角は、傾斜部３３が取付具本体２０の一対の下部側板２３間に嵌め込まれ、且つ、底板２５の後縁部と一対の突起２５ｂとによって支持された状態で、水平部３２が取付具本体２０の段差部２４と平行になるように角度設定されている。
【００４０】
前記傾斜部３３には、前後方向に延びる係止孔３４が穿設されている。この係止孔３４は、中心線に沿うように穿設された長孔３４ａと、該長孔３４ａの幅方向の両側縁面から互いに離間方向に向けて切り欠かれることによって長手方向に等ピッチで形成した複数の波形溝３４ｂとからなっている。長孔３４ａは、孔幅寸法が後述の扁平軸部材４１の扁平面間の厚み寸法より僅かに大きく寸法設定され、これによって扁平軸は、長孔３４ａに貫通された状態で当該長孔３４ａに案内されつつ前後方向に相対移動可能とされている。
【００４１】
前記縁堰部３５は、スライダー本体３１を形成させるための原料平板の幅方向両側部が上方に向けて折り返された状態で形成されている。本実施形態においては原料平板として鉄材性のものが採用され、かかる原料平板に所定のプレス処理が施されることによって縁堰部３５が形成されている。かかる縁堰部３５の存在でスライダー３０は構造的に丈夫なものになっている。
【００４２】
前記弾性部材３６は、図３に示すように、スライダー３０の水平部３２と第１枠材１１１とでＨ型鋼１００の上耳部１０２を挟持した状態で当該弾性部材３６の弾性変形により第１枠材１１１を確実に押圧するためのものであり、ゴムや軟質の合成樹脂材料などの弾性材料によって形成されている。かかる弾性部材３６は、本実施形態においては、平板状の弾性部材本体３６ａと、該弾性部材本体３６ａの幅方向の両側縁部から下方に向けて突設された側板部３６ｂとからなっている。側板部３６ｂの上下寸法は、スライダー３０の縁堰部３５の上下寸法と略同一に寸法設定されている。
【００４３】
そして、このような弾性部材３６は、所定の接着剤を介して水平部３２に接着されることにより、スライダー３０に固定されるようになされている。なお、側板部３６ｂは、当初より弾性部材本体３６ａから下方へ向けて折り曲げられていることに限定されるものではなく、一対の側板部３６ｂを含めて弾性部材本体３６ａとで平板状に形成されたものを、水平部３２への接着処理時に折り曲げるようにしてもよい。
【００４４】
また、弾性部材３６は、図１に示すような１枚ものに代えて袋状に形成したり、下面部が開放状態のセミ袋状に形成し、かかる袋状あるいはセミ袋状の弾性部材を水平部３２に被せるようにしてもよい。このようにすれば、接着剤を用いることなく弾性部材をスライダー３０に装着することが可能になり、その分床パネル取付具１０の組み付け効率が向上する
【００４５】
前記ロック構造４０は、本実施形態においては、扁平軸部材４１と、この扁平軸部材４１に下端部側から装着されるワッシャ４２と、このワッシャ４２に続いて扁平軸部材４１に下端部側から装着されるスプリングワッシャ４３と、このスプリングワッシャ４３に続いて扁平軸部材４１に下端部側から装着される係止板４４と、扁平軸部材４１の下端部に回動可能に軸支される操作部材４５とからなっている。
【００４６】
前記扁平軸部材４１は、側面視でТ字状に形成されてなり、上下方向に長尺の扁平軸本体４１ａと、この扁平軸本体４１ａの上端部から延設された前後方向に延びる頭部４１ｂとからなっている。扁平軸本体４１ａは、厚み寸法が前記取付具本体２０の底板２５に穿設された挿通孔２５ａの孔幅寸法より僅かに薄く寸法設定されているとともに、前後幅寸法が挿通孔２５ａの平面視での前後幅寸法より僅かに小さく寸法設定され、これによって上部から長孔３４ａを貫通した状態で挿通孔２５ａに遊嵌され得るようになっている。
【００４７】
前記頭部４１ｂは、前後寸法がワッシャ４２の内径寸法より若干大きく寸法設定され、これによってワッシャ４２が扁平軸本体４１ａから上方に向けて抜け出るのが阻止されるようになっている。
【００４８】
前記スプリングワッシャ４３は、ロック構造４０が取付具本体２０およびスライダー３０に装着され、且つ操作部材４５が後述の係止姿勢（規制姿勢）に姿勢設定された状態で、係止板４４に付勢力を付与するためのものであり、バネ材で形成された環状物の一部が径方向に向けて切断された上で対向した切断部がそれぞれ上下に離間されるように変形されることによって形成されている。
【００４９】
前記係止板４４は、本実施形態では、一辺の長さ寸法がスライダー３０の幅方向一対の縁堰部３５間の内寸法より小さく設定されてなる正方形状に形成されている。かかる係止板４４の中央位置には、前後方向に延びる矩形孔４４ａが穿設されているとともに、該矩形孔４４ａを挟んで左右対象位置に下方に向かって突設された幅方向一対の係止凸部４４ｂが設けられている。
【００５０】
かかる係止板４４は、本実施形態においては、鉄などの金属材料によって形成されているとともに、前記係止凸部４４ｂは、上方から下方に向かうプレス処理によるいわゆる押し膨らましによって形成されているが、かかる押し膨らませ処理で係止凸部４４ｂを形成差せることに限定されるものではなく、スポット的な溶接処理などによって形成させてもよい。
【００５１】
かかる係止凸部４４ｂは、係止板４４をスライダー３０の傾斜部３３における幅方向の中央位置に密着させた状態で、傾斜部３３に設けられた係止孔３４の波形溝３４ｂに摺接状態で嵌り込むことができるように位置設定および寸法設定されている。
【００５２】
前記操作部材４５は、扁平軸本体４１ａの下端部を幅方向で挟持する一対の挟持片４５ａと、これら挟持片４５ａの図１における後端下部から下方に向けて延設された操作片４５ｂとからなっている。各挟持片４５ａには、幅方向で互いに対向した被装着孔４５ｃが穿設されている一方、前記扁平軸本体４１ａの下端部には、被装着孔４５ｃに対応した装着孔４１ｃが穿設されている。
【００５３】
そして、扁平軸本体４１ａの下端部が一対の挟持片４５ａによって挟持された状態で被装着孔４５ｃおよび扁平軸本体４１ａにリベット（横軸）Ｒが差し通され、しかる後に当該リベットＲにかしめ処理が施されることによって操作部材４５がリベットＲ回りに回動可能に扁平軸本体４１ａに接続されるようになっている。
【００５４】
前記挟持片４５ａは、図１における被装着孔４５ｃの前方位置で操作片４５ｂと略平行に設定された係止用縁面４５ｄと、この係止用縁面４５ｄから後方に向けて先上がりに形成された係止解除用縁面４５ｅとを備えている。
【００５５】
前記被装着孔４５ｃの孔心と、係止用縁面４５ｄとの間の距離ｄ１（すなわち被装着孔４５ｃの孔心から係止用縁面４５ｄに下ろした垂線の長さ寸法）は、図３に示すように、被装着孔４５ｃの孔心と、係止解除用縁面４５ｅとの間の距離ｄ２より大きく寸法設定されている。かかる縁面４５ｄ，４５ｅを有する挟持片４５ａは、前記距離ｄ１と、距離ｄ２との差が、係止板４４の係止凸部４４ｂの突出量より若干大きめになるように形状設定されている。
【００５６】
そして、操作部材４５は、操作片４５ｂを指で摘んでリベットＲ回りに正逆回動操作することにより、係止用縁面４５ｄが底板２５の裏面側に当接した、図３に実線で示す係止姿勢（規制姿勢）と、係止解除用縁面４５ｅが底板２５の裏面側に当接した、図３に二点鎖線で示す係止解除姿勢（規制解除姿勢）との間で姿勢変更することができるようになっている。
【００５７】
そして、前記扁平軸本体４１ａは、それがワッシャ４２、スプリングワッシャ４３、係止板４４の矩形孔４４ａ、スライダー３０の長孔３４ａ、および底板２５の挿通孔２５ａに挿通され、且つ操作部材４５が係止姿勢に姿勢設定された状態で、図３に実線で示すように、スプリングワッシャ４３が圧縮弾性変形し、これによる押圧力で係止板４４の係止凸部４４ｂが波形溝３４ｂに嵌り込む一方、操作部材４５が係止解除姿勢に姿勢設定されることにより、係止凸部４４ｂの波形溝３４ｂに対する強制的な嵌り込みが解消されるように長さ寸法が設定されている。
【００５８】
以上のように構成された床パネル取付具１０は、図１に示す状態において、まず弾性部材３６がスライダー３０の水平部３２に粘着材を介して装着され、ついでスライダー３０の傾斜部３３が取付具本体２０の底板２５の上面に当接するように下部側板２３間に嵌め込まれ、引き続き、下端部からワッシャ４２、スプリングワッシャ４３および係止板４４の外嵌された扁平軸本体４１ａがスライダー３０の係止孔３４および取付具本体２０の挿通孔２５ａに差し込まれた後に、扁平軸本体４１ａの下端部が操作部材４５の一対の挟持片４５ａによって挟持された状態で、それぞれの被装着孔４５ｃおよび装着孔４１ｃにリベットＲが差し通された上でかしめ処理が施されることにより、図２に示すように、完成品となる。
【００５９】
かかる床パネル取付具１０は、図３に示すように、Ｈ型鋼１００の上耳部１０２のＨ型鋼本体１０１からの突出量と略同一の距離だけ第１枠材１１１の前方端面から内側に下がった位置に固定され、この状態で床パネル１１０をＨ型鋼１００に結合する用に供される。
【００６０】
以下、図４を基に本実施形態の床パネル取付具１０の作用について説明する。図４は、床パネル取付具１０の作用を説明するための説明図であり、（イ）は、床パネル１１０が床パネル取付具１０を介してＨ型鋼１００に結合される直前の状態、（ロ）は、床パネル１１０が床パネル取付具１０によってＨ型鋼１００に結合されつつある状態、（ハ）は、床パネル１１０が床パネル取付具１０を介してＨ型鋼１００に結合された状態をそれぞれ示している。
【００６１】
まず、図４の（イ）においては、操作部材４５が係止解除姿勢に姿勢設定されることにより操作部材４５の係止解除用縁面４５ｅが底板２５の底面へ対向し、係止板４４の係止凸部４４ｂが波形溝３４ｂから外れ得る状態でスライダー３０が後方（図４の右方）へ引き戻されている。この引き戻しによって第１枠材１１１の先端下面と、弾性部材３６の上面との間にＨ型鋼１００の上耳部１０２の厚み寸法より相当大きな隙間が形成された状態になっている。
【００６２】
ついで、スライダー３０の後端部を前方（図４の左方）へ向けて押圧すると、当該スライダー３０は、図４の（ロ）に示すように、取付具本体２０の底板２５に沿い前方へ向けて斜め上方に移動し、これによって第１枠材１１１の先端下面と、弾性部材３６の上面との間の隙間寸法が漸減していく。
【００６３】
この場合、前記底板２５の上面に突起２５ｂが設けられているため、この突起の存在でスライダー本体３１の傾斜部３３裏面と、取付具本体２０の底板２５との間の面接触が回避されて両者間の接触面積が極めて小さくなり、これによってスライダー３０の移動が円滑に行われる。
【００６４】
ついで、図４の（ハ）に示すように、弾性部材３６がＨ型鋼１００の上耳部１０２の下面に当接すると、スライダー３０の後端縁をハンマーで殴打するなどして当該スライダー３０を強制的に前進させ、これによってスライダー本体３１の水平部３２における縁堰部３５とＨ型鋼１００の上耳部１０２との間に存在する弾性部材３６を圧縮弾性変形させ、これによって前記上耳部１０２をスライダー３０の水平部３２と第１枠材１１１との間で確実に押圧挟持した状態にする。
【００６５】
この状態で、二点鎖線の矢印で示すように、係止解除姿勢に姿勢設定されている操作部材４５をリベットＲ回りに時計方向に回動させて係止姿勢に姿勢変更させる。こうすることによって、操作部材４５の底板２５に対する当接面が、今までの係止解除用縁面４５ｅから、それよりリベットＲとの間の距離が長い係止用縁面４５ｄに変更される。これによって扁平軸本体４１ａがスプリングワッシャ４３の付勢力に抗して下方へ向かって引き寄せられ、係止板４４の係止凸部４４ｂが直下の波形溝３４ｂに嵌り込むため、スライダー３０のずり下がりが阻止され、床パネル１１０は、床パネル取付具１０を介してＨ型鋼１００に結合された状態になる。
【００６６】
本発明に係る第１実施形態の床パネル取付具１０は、以上詳述したように、梁部材としてのＨ型鋼１００と、該Ｈ型鋼１００に支持された床パネル１１０との間に介設されて床パネル１１０の位置ずれを防止するものであって、Ｈ型鋼１００に対向して床パネル１１０の裏面側から突出するように当該床パネル１１０に固定される取付具本体２０と、Ｈ型鋼１００に対して進退可能に前記取付具本体２０に装着されるスライダー３０と、該スライダー３０の進退を規制するロック構造４０とが備えられ、前記取付具本体２０は、前記スライダー３０を先上がりに傾斜した状態で進退させ得るように当該スライダー３０を支持してなるものである。
【００６７】
したがって、床パネル１１０をＨ型鋼１００に支持させた状態で、一旦Ｈ型鋼１００から離間する方向へスライドされている、取付具本体２０に装着されたスライダー３０をＨ型鋼１００の方向へ向かわせることにより、当該スライダー３０は、先上がりに傾斜した状態で前進し、その先端部と床パネル１１０との間の距離が漸減していくため、スライダー３０の所定の前進量でＨ型鋼１００の上耳部１０２はスライダー３０と床パネル１１０とによって挟持された状態になる。
【００６８】
この状態でロック構造４０によってスライダー３０の後退を規制することにより、Ｈ型鋼１００のスライダー３０および床パネル１１０による挟持状態が維持され、これによってＨ型鋼１００に支持された床パネル１１０の位置ずれが有効に防止することができる。
【００６９】
このように、スライダー３０を前進させるという簡単な操作でＨ型鋼１００に支持された床パネル１１０の位置ずれを有効に防止することが可能になり、優れた操作性を得ることができるばかりか、従来の弾性変形した板バネの弾性力で床パネル１１０をＨ型鋼１００に結合するものの場合、振動や異物の衝突などが起ったときに板バネがさらに弾性変形して隙間が生じ、これによって床パネル１１０が位置ずれし易くなるという不都合が生じるが、本発明に係る床パネル取付具１０では、ロック構造４０による規制によってスライダー３０と床パネル１１０との間の距離が変化するようなことは起らず、これにより床パネル１１０の位置ずれをさらに確実に防止することができる。
【００７０】
また、前記スライダー３０は、先端側に形成された床パネル１１０の裏面と平行な水平部３２と、該水平部３２から後方に向かって延設され、且つ取付具本体２０に支持された傾斜部３３とを備えているため、スライダー３０は、取付具本体２０に支持された傾斜部３３を前進させることによって、その水平部３２が床パネル１１０の底面との間で平行状態を維持しながら前進且つ上昇し、Ｈ型鋼１００の上耳部１０２の低面と面接触するため、スライダー３０と床パネル１１０とによる上耳部１０２の挟持状態をより確実なものとすることができる。
【００７１】
また、前記水平部３２には、その上面を覆うように弾性部材３６が取り付けられているため、Ｈ型鋼１００がスライダー３０の水平部３２と床パネル１１０とによって挟持された状態で、水平部３２に設けられた弾性部材３６が弾性変形する。したがって、たとえ水平部３２とＨ型鋼１００の上耳部１０２との間に僅かな隙間が形成されてしまうような非接触状態になっても、弾性部材３６の弾性変形によって前記非接触状態が解消され、これによって上耳部１０２を弾性部材３６を介して常にスライダー３０と床パネル１１０とによって押圧挟持された状態とすることができる。
【００７２】
さらに、前記取付具本体２０に傾斜状態でスライダー３０の傾斜部３３を支持する底板２５を設け、該底板２５に挿通孔２５ａを穿設し、前記傾斜部３３には、前記挿通孔２５ａに対応して前後方向に延びる長孔３４ａを穿設する一方、前記ロック構造４０を、頂部に抜け止め用の頭部４１ｂを備え、且つ上から前記長孔３４ａおよび挿通孔２５ａに挿通される扁平軸部材４１と、該扁平軸部材４１の下端部に貫通されたリベットＲ回りに回動可能に軸支する操作部材４５とを備えて構成している。
【００７３】
そして、前記操作部材４５を、リベットＲ回りの一方向への回動操作で前記扁平軸部材４１を下方に向かわせることによりスライダー３０の進退を規制する係止姿勢と、リベットＲ回りの他方向への回動操作で前記係止を解除する係止解除姿勢との間で姿勢変更可能に構成しているため、Ｈ型鋼１００がスライダー３０と床パネル１１０とによって挟持された状態で、操作部材４５をリベットＲ回りに一方向へ回動操作して係止姿勢に姿勢設定することにより、扁平軸部材４１が下方に向かってスライダー３０の進退を係止する一方、この状態で操作部材４５をリベットＲ回りに他方向へ回動操作することにより、操作部材４５は係止解除姿勢に姿勢変更し、これによってスライダー３０の進退の係止を解除することができる。
【００７４】
このように、操作部材４５のリベットＲ回りの正逆回動操作によってスライダー３０の進退の規制と、規制解除とを容易に切り替えることができるため、ロック構造４０を優れた操作性を備えたものにすることができる。
【００７５】
図５は、本発明に係る床パネル取付具の第２実施形態を示す一部切欠き分解斜視図であり、図６は、その組立て斜視図である。第２実施形態の床パネル取付具１０ａは、取付具本体、スライダーおよびロック構造を備えて構成されている点については基本的に第１実施形態の床パネル取付具１０と同様であるが、取付具本体２０ａおよびスライダー３０ａについては第１実施形態のものと若干仕様が変更されているとともに、ロック構造５０については第１実施形態の回動操作式のロック構造４０とは異なり、スライド操作式のものが採用されている点が第１実施形態のものと相違している。
【００７６】
まず、第２実施形態の取付具本体２０ａは、底板２５ｃが先の実施形態のものより大きく寸法設定されているとともに、一対の下部側板２３に傾斜した底板２５ｃに沿うように前後方向に延びる長孔状の嵌挿孔２５ｄがそれぞれ設けられているとともに、底板２５ｃには先の角孔状の挿通孔２５ａに代えて円孔２５ｅが穿設されている点が先の取付具本体２０と相違している。取付具本体２０ａのその他の構成は、先の取付具本体２０と同様である。
【００７７】
また、第２実施形態のスライダー３０ａは、縁堰部３５が設けられない状態の水平部３２と傾斜部３３とによって構成されている。そして、係止孔３４ｃは、前後方向に延びる長孔３４ａと、この長孔３４ａの一方の縁部（図５に示す例では幅方向の右方の縁部）にのみ所定ピッチで形成された複数の波形溝３４ｂとからなっている。スライダー３０ａのその他の構成は先のスライダー３０と同様である。
【００７８】
これらに対し、本実施形態のロック構造５０は、その構造が先の実施形態のロック構造４０と比べて大幅に相違している。すなわち、本実施形態のロック構造５０は、スライダー３０ａを係止する係止位置および当該係止を解除する係止解除位置間で位置変更可能なスライド部材（係止板）５１と、該スライド部材５１を取付具本体２０ａに位置変更可能に装着するためのリベット５７と、該リベット５７の先端部に外嵌されて当該リベットの先端部でかしめ止めされるスプリングワッシャ５８とを備えて構成されている。
【００７９】
前記スライド部材５１は、取付具本体２０ａの下部側板２３に穿設された一対の嵌挿孔２５ｄに嵌挿されるスライド板５２と、該スライド板５２の一方の端部（図５に示す例では右方の端部）から上方に向けて延設された操作片５３とからなっている。スライド板５２は、平面視で矩形状に形成され、短尺側の寸法が取付具本体２０ａの嵌挿孔２５ｄに摺接状態で貫通し得るように寸法設定されているとともに、長尺側の寸法が取付具本体２０ａの一対の下部側板２３間の内寸法より長尺に寸法設定されている（本実施形態では下部側板２３間の内寸法の略１．５倍に設定されている）。
【００８０】
かかるスライド板５２の略中央位置には、当該スライド板５２の長手方向に若干長尺の貫通孔５４が穿設されている。この貫通孔５４は、長尺側の内寸法がリベット本体５７ａの直径の２倍強に寸法設定され、貫通孔５４が円孔２５ｅから上方に突出したリベット本体５７ａに外嵌された状態で、スライド部材５１が貫通孔５４の範囲内で正逆移動し得るようになっている。
【００８１】
また、スライド板５２の長尺側の後方縁部には、切り欠かれることによって形成した一対の切欠き凹部５５が設けられている一方、前記取付具本体２０ａの底板２５ｃには、これら切欠き凹部５５に対応するように上方へ向けて突設された半球状の突起２５ｆが設けられている。
【００８２】
前記一対の切欠き凹部５５は、スライド部材５１が、図２に二点鎖線で示すように、係止解除位置に位置設定された状態で、前記一対の突起２５ｆに遊嵌される位置に設けられている。そして、スライド部材５１が、図２に実線で示すように、係止位置に位置設定されることにより、スライド板５２の各切欠き凹部５５より左方部分が突起２５ｆにそれぞれ乗り上げるようになっている。
【００８３】
そして、前記貫通孔５４は、スライド部材５１が係止位置に位置設定された状態で、当該貫通孔５４の左端縁がリベット本体５７ａに当止する一方、同係止解除姿勢に姿勢設定された状態で、同右端部がリベット本体５７ａに当止するように穿設位置が設定されている。
【００８４】
また、スライド板５２には、その前端縁に上方に向けて突設された係止突片５６が設けられている。この係止突片５６は、スライド板５２が嵌挿孔２５ｄに嵌挿され、且つスライダー３０ａが取付具本体２０ａの下部側板２３間に装着された状態で、スライダー３０ａの傾斜部３３に穿設された係止孔３４ｃに嵌め込まれるものである。
【００８５】
かかる係止突片５６は、本実施形態においてはスライド板５２の縁部が切り起されることによって形成され、スライド板５２が係止解除位置に位置設定された状態で係止孔３４ｃの長孔３４ａに位置する一方、スライド板５２が係止位置に位置設定された状態で係止孔３４ｃの波形溝３４ｂに嵌り込むように切り起し位置が設定されている。
【００８６】
したがって、スライダー３０ａは、係止突片５６が長孔３４ａに位置した状態で前後方向へスライド移動が可能になっているのに対し、係止突片５６が波形溝３４ｂに嵌り込むことによって前後動が規制されることになる。
【００８７】
このような取付具本体２０ａ、スライダー３０ａおよびロック構造５０からなる第２実施形態の床パネル取付具１０ａは、図１に示す状態において、まずスライド部材５１のスライド板５２が取付具本体２０ａの嵌挿孔２５ｄに差し込まれ、ついでスライダー本体３１の傾斜部３３が下部側板２３間のスライド板５２に重ねられ、引き続きリベット本体５７ａが底板２５ｃの挿通孔２５ａ、スライド板５２の貫通孔５４およびスライダー本体３１の傾斜部３３の係止孔３４に下部から差し通された後、リベット本体５７ａの先端部にスプリングワッシャ５８が外嵌され、その後リベット本体５７ａの先端がかしめられることにより、底板２５ｃ、スライド板５２およびスライダー本体３１がリベット５７の頭部５７ｂとスプリングワッシャ５８とに挟持された状態で、図２に示すように、床パネル取付具１０ａが完成する。
【００８８】
図７は、第２実施形態の床パネル取付具１０ａの作用を説明するための説明図であり、（イ）は、スライド部材５１が係止解除位置に位置設定された状態、（ロ）は、スライド部材５１が係止位置に位置設定された状態をそれぞれ示している。なお、（イ）および（ロ）に添えられた添え字の▲１▼は、側面視の断面図を示し、同添え字の▲２▼は、平面視の断面図を示している。
【００８９】
まず、図７の（イ）に示す状態では、スライド部材５１が左方（図７の紙面の上方）に移動した係止解除位置に位置設定されていることにより、係止突片５６がスライダー本体３１の傾斜部３３に設けられた波形溝３４ｂから外れて長孔３４ａ内に位置しているため、スライダー本体３１は、図７の（イ）−▲２▼に示すように、長孔３４ａの範囲内で前後方向（図７の紙面の左右方向）へ穿移動可能になっている。
【００９０】
この状態でスライダー本体３１は、図７の（イ）−▲１▼および▲２▼に示すように、最大限まで後方（図７の紙面の右方）へスライドされ、これによってスライダー本体３１の水平部３２と床パネル１１０との隙間がＨ型鋼１００の上耳部１０２の厚み寸法より相当広くなり（図７の（イ）−▲１▼）、前記隙間を上耳部１０２へ嵌め込み易くなっている。
【００９１】
また、取付具本体２０ａの底板２５ｃから膨設された一対の突起２５ｆは、スライド板５２の一対の切欠き凹部５５に嵌り込んでいるため、スライダー本体３１の傾斜部３３は、図７の（イ）−▲１▼に示すように、スプリングワッシャ５８の付勢力によってスライド板５２を介して底板２５ｃに密着している。
【００９２】
そして、Ｈ型鋼１００の上耳部１０２をスライダー本体３１の水平部３２と床パネル１１０とで挟持させるに際しては、スライダー本体３１の傾斜部３３後端縁を前方へ向けて押圧し、スライダー本体３１を前方へ向けて移動させる。そうすると、スライダー本体３１は、底板２５ｃの上面をスライドしながら斜め上方に向けて移動し、これによってスライダー本体３１の水平部３２上面がＨ型鋼１００の上耳部１０２の下面に面接触で当接する。
【００９３】
この状態で、操作片５３を右方（図７の紙面の下方）へ向けて操作すると、スライド板５２の前縁部に設けられた係止突片５６が、図７の（ロ）−▲２▼に示すように、対向した波形溝３４ｂに嵌り込み、これによってスライダー本体３１の移動が規制されるため、Ｈ型鋼１００の上耳部１０２がスライダー本体３１の水平部３２と床パネル１１０とによって挟持され、床パネル１１０が床パネル取付具１０ａを介してＨ型鋼１００に連結された状態になる。
本発明に係る第２実施形態の床パネル取付具１０ａによれば、ロック構造５０は、１枚の板材にプレス処理を施すことによって得られるスライド部材５１を主な構成要素としてしているため、部品点数が非常に少なく、その分部品コストおよび組み付けコストの低減化に貢献することができるとともに、スライド部材５１の所定方向へのスライド操作でスライダー本体３１の任意位置における確実な係止を行い得るようになっているため、操作が非常に簡単であり操作性に優れている。
【００９４】
図８は、本発明に係る床パネル取付具の第３実施形態を示す分解斜視図であり、図９は、その組立て斜視図である。第３実施形態の床パネル取付具１０ｂは、取付具本体、スライダーおよびロック構造を備えて構成されている点については基本的に第１実施形態の床パネル取付具１０と同様であるが、ロック構造６０が取付具本体２０ｂではなく、スライダー３０ｂ側に装着され、スライダー３０ｂの移動に伴って移動するようになっている点が先の実施形態の床パネル取付具１０，１０ａと大きく相違している。
【００９５】
本発明は、上記の実施形態に限定されるものではなく、以下の内容をも包含するものである。
【００９６】
（１）上記の実施形態においては、ロック構造４０，５０が取付具本体２０，２０ａに装着され、スライダー３０，３０ａは、当該取付具本体２０，２０ａに対して移動するようになされているが、こうする代わりに、ロック構造をスライダー側に装着し、当該スライダーとともに移動し得るようにしてもよい。この場合、スライダー側に上記リベット５７に対応した軸を下方に向けて突出した状態で固定する一方、取付具本体の底板側に前記軸体に対応した前後方向に延びる長孔を穿設し、軸体をこの長孔に嵌挿するとともに、長孔から下方に突出した軸体の下端部にロック構造を装備すればよい。
【００９７】
ロック構造としては、第１および第２実施形態と同様の構造のものを採用してもよいし、所定の操作片を前記軸体回りに正逆回動操作することにより、スライダーの移動を規制したり、規制解除するような軸体回りの回動操作式のものを採用してもよい。かかるロック構造の具体的な構成については、状況に応じて適宜設定することができる。
【００９８】
（２）上記の第１実施形態においては、スライダー本体３１の水平部３２に装着されう弾性部材３６としてゴムや軟質の合成樹脂材料などによって形成されているものが採用されているが、本発明は、弾性部材がゴムや軟質合成樹脂材料によって形成されることに限定されるものではなく、金属製や硬質の合成樹脂製のバネ材を採用してもよい。この場合、バネ材として板バネ材を採用し、この板バネ材をＵ字形状に成形したもの（Ｕ字バネ）をスライダー本体３１の水平部３２の上面側に固定すればよい。こうすることによって、スライダー本体３１の水平部３２と床パネル１１０とがＨ型鋼１００の上耳部１０２を挟持下状態で、Ｕ字バネが隙間を狭めるように弾性変形するため、上耳部１０２は、この弾性力によって押圧挟持された状態になる。
【００９９】
（３）上記の実施形態における第１および第２実施形態のロック構造４０，５０に代えて、ボルトおよびナットをロック構造として採用してもよい。ボルトおよびナットをロック構造として採用した場合には、スライダー本体３１に穿設される係止孔３４は長孔３４ａのみとされる。そして、取付具本体の底板には、ボルトが挿通される挿通孔が穿設され、この挿通孔および前記長孔３４ａにボルトが挿通された状態でナットが螺着され、このナットの締結でスライダー本体３１の移動が規制されるようにする。
【０１００】
このようにボルトおよびナットでロック構造を構成することにより、ロック構造が極めて簡単な構造のものになり、部品コストおよび組み付けコストの低減化を図る上で有効である。
【０１０１】
【発明の効果】
本発明の床パネル取付具によれば、梁部材に対向して床パネルの裏面側から突出するように当該床パネルに固定される取付具本体と、梁部材に対して進退可能に前記取付具本体に装着されるスライダーと、該スライダーの進退を規制するロック構造とが備えられ、取付具本体は、前記スライダーを先上がりに傾斜した状態で進退させ得るように当該スライダーを支持するようになされているため、床パネルを梁部材に支持させた状態で、後方に位置したスライダーを梁部材の方向へ向かわせることにより、当該スライダーは、先上がりに傾斜した状態で前進し、その先端部と床パネルとの間の距離が漸減していき、スライダーの所定の前進量でスライダーと床パネルとによって梁部材を挟持させることができる。この状態でロック構造によってスライダーの後退を規制することにより、梁部材のスライダーおよび床パネルによる挟持状態が維持され、これによって梁部材に支持された床パネルの位置ずれを有効に防止することができる。
【０１０２】
このように、スライダーを斜め上方に向かって前進させるという簡単な操作で梁部材に支持された床パネルを梁部材に確実に連結することができ、優れた操作性を得ることができるばかりか、各種の厚み寸法の梁部材に容易に対応することが可能になり、床パネル取付具の汎用性を向上させることができる。
また、従来の弾性変形した板バネの弾性力で床パネルを梁部材に結合するものの場合、梁部材の厚み寸法によって板バネの弾性力が変化するため、常に一定の結合力で床パネル取付具を介して床パネルを梁部材に連結し得ないという不都合が生じるが、この発明ではこのような不都合を解消することができる。
【図面の簡単な説明】
【図１】本発明に係る床パネル取付具の一実施形態を示す一部切欠き分解斜視図である。
【図２】図１に示す床パネル取付具の組立て斜視図である。
【図３】図２のＡ−Ａ線断面図である。
【図４】床パネル取付具の作用を説明するための説明図であり、（イ）は、床パネルが床パネル取付具を介してＨ型鋼に結合される直前の状態、（ロ）は、床パネルが床パネル取付具によってＨ型鋼に結合されつつある状態、（ハ）は、床パネルが床パネル取付具を介してＨ型鋼に結合された状態をそれぞれ示している。
【図５】本発明に係る床パネル取付具の第２実施形態を示す一部切欠き分解斜視図である。
【図６】図５に示す床パネル取付具の組立て斜視図である。
【図７】第２実施形態の床パネル取付具の作用を説明するための説明図であり、（イ）は、スライド部材が係止解除位置に位置設定された状態、（ロ）は、スライド部材が係止位置に位置設定された状態をそれぞれ示している。なお、（イ）および（ロ）に添えられた添え字の▲１▼は、側面視の断面図を示し、同添え字の▲２▼は、平面視の断面図を示している。
【図８】従来の床パネル取付具が床パネルとＨ型鋼との間に介設された状態を示す部分斜視図である。
【図９】従来の取付具の一例を説明するための説明図であり、（イ）は、第１枠材が取付具を介してＨ型鋼に結合される直前の状態、（ロ）は、取付具のスライダーが取付具本体に装着された状態、（ハ）は、第１枠材が取付具を介してＨ型鋼に結合された状態をそれぞれ示している。また、（ニ）は、（イ）のＸ線矢視図である。
【符号の説明】
１０，１０ａ  床パネル取付具
２０，２０ａ  取付具本体    ２１  側板
２２  上部側板              ２２ａ  貫通孔
２３  下部側板              ２３ａ  台形状側板
２４  段差部                ２５，２５ｃ  底板（傾斜底板）
２５ａ  挿通孔              ２５ｂ，２５ｆ  突起
２５ｄ  嵌挿孔              ２５ｅ  円孔
３０，３０ａ  スライダー    ３１  スライダー本体
３２  水平部                ３３  傾斜部
３４，３４ｃ係止孔          ３４ａ  長孔
３４ｂ  波形溝              ３５  縁堰部
３６  弾性部材              ３６ａ  弾性部材本体
３６ｂ  側板部              ４０，５０  ロック構造
４１  扁平軸部材（縦軸）            ４１ａ  扁平軸本体
４１ｂ  頭部                ４１ｃ  装着孔
４２  ワッシャ              ４３  スプリングワッシャ
４４  係止板                ４４ａ  矩形孔
４４ｂ  係止凸部            ４５  操作部材
４５ａ  挟持片              ４５ｂ  操作片
４５ｃ  被装着孔            ４５ｄ  係止用縁面
４５ｅ  係止解除用縁面      ５１  スライド部材
５２  スライド板            ５３  操作片
５４  貫通孔                ５５  切欠き凹部
５６  係止突片              ５７  リベット
５７ａ  リベット本体        ５７ｂ  頭部
５８  スプリングワッシャ    １００  Ｈ型鋼（梁部材）
１０１  Ｈ型鋼本体          １０２  上耳部
１０３  下耳部              １１０  床パネル
１１１  第１枠材            １１２  第２枠材
Ｂ  木ネジ                  Ｒ  リベット（横軸）
【図１】
2004183212.tif 000003
【図２】
2004183212.tif 000004
【図３】
2004183212.tif 000005
【図４】
2004183212.tif 000006
【図５】
2004183212.tif 000007
【図６】
2004183212.tif 000008
【図７】
2004183212.tif 000009
【図８】
2004183212.tif 000010
【図９】
2004183212.tif 000011